(57)【要約】【課題】無線回線制御局ＲＮＣにおいて、３ＧＰＰ仕様で規定された機能に準拠した方法で、Ｅ-ＵＴＲＡＮによって管理されているブラックセルリストを取得する。【解決手段】本発明に係る移動通信システムは、Ｅ-ＵＴＲＡＮ内の無線基地局ｅＮＢは、ＵＴＲＡＮ内の無線回線制御局ＲＮＣに対して、下りリンクキャリアの周波数（ＥＡＲＦＣＮ）及び下りリンクキャリアの周波数においてアクセスが禁止されているセルであるブラックリストセル（Ｂｌａｃｋｌｉｓｔｅｄ  ｃｅｌｌｓ）の物理セルＩＤ（ＰＣＩ）を送信するように構成されている。【選択図】図５
2011238977.tif 000002
【特許請求の範囲】
【請求項１】
第１無線アクセスネットワーク及び第２無線アクセスネットワークを具備する移動通信システムであって、
前記第１無線アクセスネットワーク内の無線アクセスネットワーク装置は、前記第２無線アクセスネットワーク内の無線アクセスネットワーク装置に対して、下りリンクキャリアの周波数及び該下りリンクキャリアの周波数においてアクセスが禁止されているセルであるブラックリストセルの物理セルＩＤを送信するように構成されていることを特徴とする移動通信システム。
【請求項２】
前記第２無線アクセスネットワーク内の無線アクセスネットワーク装置は、移動局に対して、前記第１無線アクセスネットワーク内のセルに遷移するように指示する指示信号において、前記下りリンクキャリアの周波数及び該下りリンクキャリアにおける前記ブラックリストセルの物理セルＩＤを通知するように構成されており、
前記移動局は、前記下りリンクキャリアの周波数において、前記物理セルＩＤによって特定されるブラックリストセルを選択しないように構成されていることを特徴とする請求項１に記載の移動通信システム。
【請求項３】
前記指示信号は、前記第２無線アクセスネットワークにおいて前記移動局によって確立されているコネクションを開放するように要求する信号であることを特徴とする請求項２に記載の移動通信システム。
【請求項４】
前記指示信号は、前記第２無線アクセスネットワークに対して前記移動局によって送信されたコネクション設定要求を拒絶する信号であることを特徴とする請求項２に記載の移動通信システム。
【請求項５】
第１無線アクセスネットワーク内の無線アクセスネットワーク装置であって、
前記第２無線アクセスネットワーク内の無線アクセスネットワーク装置に対して、下りリンクキャリアの周波数及び該下りリンクキャリアの周波数においてアクセスが禁止されているセルであるブラックリストセルの物理セルＩＤを送信するように構成されていることを特徴とする無線アクセスネットワーク装置。
【請求項６】
第１無線アクセスネットワーク及び第２無線アクセスネットワークを具備する移動通信システムで用いられる移動局であって、
前記第２無線アクセスネットワーク内の無線アクセスネットワーク装置から、前記第１無線アクセスネットワーク内のセルに遷移するように指示する指示信号を受信するように構成されている受信部と、
受信した前記指示信号に含まれている下りリンクキャリアの周波数において、該指示信号に含まれている物理セルＩＤによって特定されるブラックリストセルを選択しないように構成されているセル選択部とを具備することを特徴とする移動局。
【請求項７】
前記指示信号は、前記第２無線アクセスネットワークにおいて前記移動局によって確立されているコネクションを開放するように要求する信号であることを特徴とする請求項５に記載の移動局。
【請求項８】
前記指示信号は、前記第２無線アクセスネットワークに対して前記移動局によって送信されたコネクション設定要求を拒絶する信号であることを特徴とする請求項５に記載の移動局。
【発明の詳細な説明】
【技術分野】
【０００１】
本発明は、移動通信システム、無線アクセスネットワーク装置及び移動局に関する。
【背景技術】
【０００２】
３ＧＰＰでは、「ＳＯＮ（Ｓｅｌｆ  Ｃｏｎｆｉｇｕｒａｔｉｏｎ  ａｎｄ  Ｓｅｌｆ  Ｏｒｇａｎｉｚａｔｉｏｎ）」の機能として、異なるＲＡＴ（Ｒａｄｉｏ  Ａｃｃｅｓｓ  Ｔｅｃｈｎｏｌｏｇｙ）間で、各セルにおける負荷情報（Ｒｅｓｏｕｒｃｅ  Ｓｔａｔｕｓ）の交換を行うことが検討されている。
【０００３】
例えば、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）との間で、各セルにおける負荷情報の交換を行うことが検討されている。
【０００４】
ここで、負荷分散を図るために、Ｅ-ＵＴＲＡＮ内の無線基地局ｅＮＢ（又は、ＵＴＲＡＮ内の無線回線制御局ＲＮＣ）が、かかる負荷情報に基づいて、配下のセル内の移動局ＵＥをＵＴＲＡＮセル（又は、Ｅ-ＵＴＲＡＮセル）に遷移させることができる。
【先行技術文献】
【非特許文献】
【０００５】
【非特許文献１】３ＧＰＰ  ＴＳ２５.３３１、「Ｒａｄｉｏ Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ」
【非特許文献２】３ＧＰＰ  ＴＳ２５.４１３、「ＵＴＲＡＮ  Ｉｕ  ｉｎｔｅｒｆａｃｅ  Ｒａｄｉｏ  Ａｃｃｅｓｓ  Ｎｅｔｗｏｒｋ  Ａｐｐｌｉｃａｔｉｏｎ  Ｐａｒｔ（ＲＡＮＡＰ）  ｓｉｇｎａｌｌｉｎｇ」
【非特許文献３】３ＧＰＰ  ＴＳ３６.３３１「Ｒａｄｉｏ Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ」
【非特許文献４】３ＧＰＰ  ＴＳ３６.４１３、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」
【非特許文献５】３ＧＰＰ  ＴＳ４８.０１８，「Ｇｅｎｅｒａｌ  Ｐａｃｋｅｔ  Ｒａｄｉｏ  Ｓｅｒｖｉｃｅ（ＧＰＲＳ）；Ｂａｓｅ  Ｓｔａｔｉｏｎ  Ｓｙｓｔｅｍ（ＢＳＳ）-Ｓｅｒｖｉｎｇ  ＧＰＲＳ  Ｓｕｐｐｏｒｔ  Ｎｏｄｅ（ＳＧＳＮ）;ＢＳＳ  ＧＰＲＳ  Ｐｒｏｔｏｃｏｌ（ＢＳＳＧＰ）」
【発明の概要】
【発明が解決しようとする課題】
【０００６】
ここで、上述の移動通信システムにおいて、移動局ＵＥは、無線回線制御局ＲＮＣよってＥ-ＵＴＲＡＮへの遷移を指示された場合に、無線回線制御局ＲＮＣによって指定されている周波数において、最も無線品質が良いセルを選択し、選択しセルにおける報知情報を取得するように構成されている。
【０００７】
無線回線制御局ＲＮＣは、移動局ＵＥに対して、かかる周波数においてアクセスが禁止されているブラックリストセル（Ｂｌａｃｋｌｉｓｔｅｄ  ｃｅｌｌｓ）を指示することもできる。
【０００８】
しかしながら、ブラックリストセルは、Ｅ-ＵＴＲＡＮによって管理されている情報であり、通信事業者によって用いられるネットワーク管理システム（Ｏ＆Ｍ：Ｏｐｅｒａｔｉｏｎ  ａｎｄ  Ｍａｎａｇｅｍｅｎｔ  ｓｙｓｔｅｍ）を用いて、若しくは、静的に、無線回線制御局ＲＮＣに、ブラックリストセルを設定しなければならないという問題点があった。
【０００９】
そこで、本発明は、上述の課題に鑑みてなされたものであり、無線回線制御局ＲＮＣにおいて、３ＧＰＰ仕様で規定された機能（ＴＳ２５.４１３や、ＴＳ３６.４１３や、ＴＳ４８.０１８等）に準拠した方法で、Ｅ-ＵＴＲＡＮによって管理されているブラックセルリストを取得することができる移動通信システム、無線アクセスネットワーク装置及び移動局を提供することを目的とする。
【課題を解決するための手段】
【００１０】
本発明の第１の特徴は、第１無線アクセスネットワーク及び第２無線アクセスネットワークを具備する移動通信システムであって、前記第１無線アクセスネットワーク内の無線アクセスネットワーク装置は、前記第２無線アクセスネットワーク内の無線アクセスネットワーク装置に対して、下りリンクキャリアの周波数及び該下りリンクキャリアにおいてアクセスが禁止されているセルであるブラックリストセルの物理セルＩＤを送信するように構成されていることを要旨とする。
【００１１】
本発明の第２の特徴は、第１無線アクセスネットワーク内の無線アクセスネットワーク装置であって、前記第２無線アクセスネットワーク内の無線アクセスネットワーク装置に対して、下りリンクキャリアの周波数及び該下りリンクキャリアにおいてアクセスが禁止されているセルであるブラックリストセルの物理セルＩＤを送信するように構成されていることを要旨とする。
【００１２】
本発明の第３の特徴は、第１無線アクセスネットワーク及び第２無線アクセスネットワークを具備する移動通信システムで用いられる移動局であって、前記第２無線アクセスネットワーク内の無線アクセスネットワーク装置から、前記第１無線アクセスネットワーク内のセルに遷移するように指示する指示信号を受信するように構成されている受信部と、受信した前記指示信号に含まれている下りリンクキャリアの周波数において、該指示信号に含まれている物理セルＩＤによって特定されるブラックリストセルを選択しないように構成されているセル選択部とを具備することを要旨とする。
【発明の効果】
【００１３】
以上説明したように、本発明によれば、無線回線制御局ＲＮＣにおいて、移動局ＵＥに対してＥ-ＵＴＲＡＮへの遷移を指示すると同時に、３ＧＰＰ仕様で規定された機能（ＴＳ２５.４１３や、ＴＳ３６.４１３や、ＴＳ４８.０１８等）に準拠した方法で、Ｅ-ＵＴＲＡＮによって管理されているブラックセルリストを取得することができる移動通信システム、無線アクセスネットワーク装置及び移動局を提供することができる。
【図面の簡単な説明】
【００１４】
【図１】本発明の第１の実施形態に係る移動通信システムの全体構成図である。
【図２】本発明の第１の実施形態に係る移動通信システムのプロトコルスタック図である。
【図３】本発明の第１の実施形態に係る移動通信システムの動作を示すシーケンス図である。
【図４】本発明の第１の実施形態に係る移動局の機能ブロック図である。
【図５】本発明の第１の実施形態に係る移動通信システムの動作を示すシーケンス図である。
【図６】本発明の第１の実施形態に係る移動局の動作を示すフローチャートである。
【発明を実施するための形態】
【００１５】
（本発明の第１の実施形態に係る移動通信システム）
図１乃至図５を参照して、本発明の第１の実施形態に係る移動通信システムの構成について説明する。
【００１６】
図１に示すように、本実施形態に係る移動通信システムは、Ｅ-ＵＴＲＡＮと、Ｅ-ＵＴＲＡＮを収容するモバイルネットワークと、ＵＴＲＡＮと、ＵＴＲＡＮを収容するコアネットワークとを具備する。
【００１７】
Ｅ-ＵＴＲＡＮ内には、無線基地局ｅＮＢが配置されており、モバイルネットワーク内には、移動管理ノードＭＭＥが配置されており、ＵＴＲＡＮ内には、無線基地局ＮｏｄｅＢ及び無線回線制御局ＲＮＣが配置されており、コアネットワークには、パケット交換機ＳＧＳＮが配置されている。
【００１８】
図１の例では、無線基地局ｅＮＢ配下のＥ-ＵＴＲＡＮセル＃１及び無線基地局ＮｏｄｅＢ（無線回線制御局ＲＮＣ）配下のＵＴＲＡＮセル＃２が地理的に重畳するように配置されている。
【００１９】
図２に、本実施形態に係る移動通信システムのプロトコルスタック図を示す。
【００２０】
図２に示すように、無線基地局ｅＮＢは、プロトコル機能として、ＮＷＬ１（Ｎｅｔｗｏｒｋ  Ｌａｙｅｒ  １）機能と、ＮＷＬ２（Ｎｅｔｗｏｒｋ  Ｌａｙｅｒ  ２）機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１-ＡＰ（Ｓ１  Ａｐｐｌｉｃａｔｉｏｎ）レイヤ機能と、ＲＩＭ（ＲＡＮ  Ｉｎｆｏｒｍａｔｉｏｎ  Ｔｒａｎｓｆｅｒ）レイヤ機能と、ＳＯＮ  Ｔｒａｎｓｆｅｒレイヤ機能とを具備している。
【００２１】
また、移動管理ノードＭＭＥは、プロトコル機能として、無線基地局ｅＮＢ側に、ＮＷＬ１機能と、ＮＷＬ２機能と、ＩＰレイヤ機能と、ＳＣＴＰレイヤ機能と、Ｓ１-ＡＰレイヤ機能とを具備し、パケット交換機ＳＧＳＮ側に、ＮＷＬ１機能と、ＮＷＬ２機能と、ＩＰレイヤ機能と、ＳＣＴＰレイヤ機能と、ＧＴＰ（ＧＰＲＳ  Ｔｕｎｎｅｌｉｎｇ  Ｐｒｏｔｏｃｏｌ）ｖ２-Ｃレイヤ機能とを具備し、更に、ＲＩＭレイヤ機能と、ＳＯＮ  Ｔｒａｎｓｆｅｒレイヤ機能とを具備している。
【００２２】
また、パケット交換機ＳＧＳＮは、プロトコル機能として、移動管理ノードＭＭＥ側に、ＮＷＬ１機能と、ＮＷＬ２機能と、ＩＰレイヤ機能と、ＳＣＴＰレイヤ機能と、ＧＴＰｖ２-Ｃレイヤ機能とを具備し、無線回線制御局ＲＮＣ側に、ＮＷＬ１機能と、ＮＷＬ２機能と、ＩＰレイヤ機能と、ＳＣＴＰレイヤ機能と、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）レイヤ機能とを具備し、更に、ＲＩＭレイヤ機能と、ＳＯＮ  Ｔｒａｎｓｆｅｒレイヤ機能とを具備している。
【００２３】
さらに、無線回線制御局ＲＮＣは、プロトコル機能として、ＮＷＬ１機能と、ＮＷＬ２機能と、ＩＰレイヤ機能と、ＳＣＴＰレイヤ機能と、ＲＡＮＡＰレイヤ機能と、ＲＩＭレイヤ機能と、ＳＯＮ  Ｔｒａｎｓｆｅｒレイヤ機能とを具備している。
【００２４】
図３に示すように、３ＧＰＰのＴＳ３６.４１３に規定されているように、無線基地局ｅＮＢは、無線回線制御局ＲＮＣから「ＳＯＮ  Ｔｒａｎｓｆｅｒ  Ｒｅｑｕｅｓｔ」を受信すると、無線回線制御局ＲＮＣに対して「ＳＯＮ  Ｔｒａｎｓｆｅｒ  Ｒｅｓｐｏｎｓｅ」を送信するように構成されている。
【００２５】
ここで、無線基地局ｅＮＢは、「ＳＯＮ  Ｔｒａｎｓｆｅｒ  Ｒｅｓｐｏｎｓｅ」によって、無線回線制御局ＲＮＣに対して、下りリンクキャリアの周波数（、ＤＬ  Ｃａｒｒｉｅｒ  Ｆｒｅｑｕｅｎｃｙ、ＥＡＲＦＣＮ：Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）及び下りリンクキャリアの周波数においてアクセスが禁止されているセルであるブラックリストセル（Ｂｌａｃｋｌｉｓｔｅｄ  ｃｅｌｌ）の物理セルＩＤ（ＰＣＩ：Ｐｈｙｓｉｃａｌ  Ｃｅｌｌ  ＩＤ）を送信するように構成されている。
【００２６】
なお、Ｅ-ＵＴＲＡＮにおいて、複数の下りリンクキャリアが用いられている場合、無線基地局ｅＮＢと無線回線制御局ＲＮＣとの間で、用いられている下りリンクキャリアの数だけ、「ＳＯＮ  Ｔｒａｎｓｆｅｒ  Ｒｅｑｕｅｓｔ」及び「ＳＯＮ  Ｔｒａｎｓｆｅｒ  Ｒｅｓｐｏｎｓｅ」が交換されるように構成されている。
【００２７】
図４に示すように、移動局ＵＥは、受信部１１と、セル選択処理部１２とを具備している。
【００２８】
受信部１１は、移動局ＵＥが、ＵＴＲＡＮ内に在圏している場合に、ＵＴＲＡＮ内の無線回線制御局ＲＮＣから、Ｅ-ＵＴＲＡＮセルに遷移するように指示する指示信号を受信するように構成されている。
【００２９】
例えば、受信部１１は、かかる指示信号として、ＵＴＲＡＮにおいて移動局ＵＥによって確立されているＲＲＣコネクションを開放するように要求する信号「ＲＲＣ  Ｃｏｎｎｅｃｔｉｏｎ  Ｒｅｌｅａｓｅ」や、ＵＴＲＡＮに対して移動局ＵＥによって送信された「ＲＲＣ  Ｃｏｎｎｅｃｔｉｏｎ  Ｒｅｑｕｅｓｔ」を拒絶する信号「ＲＲＣ  Ｃｏｎｎｅｃｔｉｏｎ  Ｒｅｊｅｃｔ」等を受信するように構成されている。
【００３０】
なお、受信部１１は、移動局ＵＥが、Ｅ-ＵＴＲＡＮ内に在圏している場合に、Ｅ-ＵＴＲＡＮ内の無線基地局ｅＮＢから、ＵＴＲＡＮセルに遷移するように指示する指示信号を受信するように構成されていてもよい。
【００３１】
セル選択処理部１２は、受信部１１によって受信された指示信号に応じて、Ｅ-ＵＴＲＡＮ（又は、ＵＴＲＡＮ）に遷移し、かかる指示信号に含まれている下りリンクキャリアの周波数において、最も無線品質の良いセルを選択するように構成されている。
【００３２】
ここで、セル選択処理部１２は、受信した指示信号に含まれている下りリンクキャリアの周波数において、かかる指示信号に含まれている物理セルＩＤによって特定されるブラックリストセルを選択しないように構成されている。
【００３３】
以下、図５及び図６を参照して、本実施形態に係る移動通信システムにおいて移動局ＵＥがＵＴＲＡＮからＥ-ＵＴＲＡＮに遷移する動作について説明する。
【００３４】
図５に示すように、ステップＳ１００１において、無線回線制御局ＲＮＣが、移動局ＵＥに対して、「ＤＬ  Ｃａｒｒｉｅｒ  Ｆｒｅｑｕｅｎｃｙ（ＥＡＲＦＣＮ）」及び「Ｂｌａｃｋｌｉｓｔｅｄ  ｃｅｌｌｓ（ＰＣＩ）」を含む「ＲＲＣ  Ｃｏｎｎｅｃｔｉｏｎ  Ｒｅｌｅａｓｅ」又は「ＲＲＣ  Ｃｏｎｎｅｃｔｉｏｎ  Ｒｅｊｅｃｔ」を送信する。
【００３５】
ステップＳ１００２において、移動局ＵＥは、図６に示す動作を行う。
【００３６】
具体的には、図６に示すように、移動局ＵＥは、ステップＳ１０１において、上述の「ＤＬ  Ｃａｒｒｉｅｒ  Ｆｒｅｑｕｅｎｃｙ（ＥＡＲＦＣＮ）」をスキャンして、ステップＳ１０２において、スキャンしたセルの中から、「Ｂｌａｃｋｌｉｓｔｅｄ  ｃｅｌｌｓ（ＰＣＩ）」によって特定されるセル以外で最も無線品質が良いセルを選択する。
【００３７】
移動局ＵＥは、ステップＳ１０３において、選択したセルにおける報知情報、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）を受信する。
【００３８】
ここで、移動局ＵＥは、受信した報知情報内の規制情報に基づいて、選択したセルにおいてアクセスが規制されていると判定した場合、ステップＳ１０２に戻り、他のセルの選択を試みる。
【００３９】
ステップＳ１０３において、移動局ＵＥは、受信した報知情報内の規制情報に基づいて、選択したセルにおいてアクセスが規制されていないと判定した場合、かかるセルにおいてＲＡ（Ｒａｎｄｏｍ  Ａｃｃｅｓｓ）手順を開始する。
【００４０】
本実施形態に係る移動通信システムによれば、移動局ＵＥは、無線回線制御局ＲＮＣ（或いは、無線基地局ｅＮＢ）からの指示信号から、遷移先の周波数におけるブラックリストセルを把握することができるので、遷移先の周波数においてブラックリストセルを選択することを回避することができ、迅速に、Ｅ-ＵＴＲＡＮ（又は、ＵＴＲＡＮ）への遷移を完了することができる。
【００４１】
以上に述べた本実施形態の特徴は、以下のように表現されていてもよい。
【００４２】
本実施形態の第１の特徴は、Ｅ-ＵＴＲＡＮ（第１無線アクセスネットワーク）及びＵＴＲＡＮ（第２無線アクセスネットワーク）を具備する移動通信システムであって、Ｅ-ＵＴＲＡＮ内の無線基地局ｅＮＢ（第１無線アクセスネットワーク内の無線アクセスネットワーク装置）は、ＵＴＲＡＮ内の無線回線制御局ＲＮＣ（第２無線アクセスネットワーク内の無線アクセスネットワーク装置）に対して、下りリンクキャリアの周波数（ＥＡＲＦＣＮ）及び下りリンクキャリアの周波数においてアクセスが禁止されているセルであるブラックリストセル（Ｂｌａｃｋｌｉｓｔｅｄ  ｃｅｌｌｓ）の物理セルＩＤ（ＰＣＩ）を送信するように構成されていることを要旨とする。
【００４３】
本実施形態の第１の特徴において、無線回線制御局ＲＮＣは、移動局ＵＥに対して、Ｅ-ＵＴＲＡＮセル（第１無線アクセスネットワーク内のセル）に遷移するように指示する指示信号において、下りリンクキャリアの周波数及び下りリンクキャリアにおけるブラックリストセルの物理セルＩＤを通知するように構成されており、移動局ＵＥは、下りリンクキャリアの周波数において、物理セルＩＤによって特定されるブラックリストセルを選択しないように構成されていてもよい。
【００４４】
本実施形態の第２の特徴は、Ｅ-ＵＴＲＡＮ内の無線基地局ｅＮＢであって、ＵＴＲＡＮ内の無線回線制御局ＲＮＣに対して、下りリンクキャリアの周波数及び下りリンクキャリアの周波数においてアクセスが禁止されているセルであるブラックリストセルの物理セルＩＤを送信するように構成されていることを要旨とする。
【００４５】
本実施形態の第３の特徴は、Ｅ-ＵＴＲＡＮ及びＵＴＲＡＮを具備する移動通信システムで用いられる移動局ＵＥであって、ＵＴＲＡＮ内の無線回線制御局ＲＮＣから、Ｅ-ＵＴＲＡＮセルに遷移するように指示する指示信号を受信するように構成されている受信部１１と、受信した指示信号に含まれている下りリンクキャリアの周波数において、かかる指示信号に含まれている物理セルＩＤによって特定されるブラックリストセルを選択しないように構成されているセル選択部１２とを具備することを要旨とする。
【００４６】
本実施形態の第１及び第３の特徴において、上述の指示信号は、ＵＴＲＡＮにおいて移動局ＵＥによって確立されているＲＲＣコネクションを開放するように要求する信号「ＲＲＣ  Ｃｏｎｎｅｃｔｉｏｎ  Ｒｅｌｅａｓｅ」であってもよい。
【００４７】
本実施形態の第１及び第３の特徴において、上述の指示信号は、ＵＴＲＡＮに対して移動局ＵＥによって送信された「ＲＲＣ  Ｃｏｎｎｅｃｔｉｏｎ  Ｒｅｑｕｅｓｔ（コネクション設定要求）」を拒絶する信号「ＲＲＣ  Ｃｏｎｎｅｃｔｉｏｎ  Ｒｅｊｅｃｔ」であってもよい。
【００４８】
なお、上述の移動局ＵＥや無線基地局ｅＮＢ/ＮｏｄｅＢや無線回線制御局ＲＮＣや移動管理ノードＭＭＥやパケット交換機ＳＧＳＮの動作は、ハードウェアによって実施されてもよいし、プロセッサによって実行されるソフトウェアモジュールによって実施されてもよいし、両者の組み合わせによって実施されてもよい。
【００４９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＮｏｄｅＢや無線回線制御局ＲＮＣや移動管理ノードＭＭＥやパケット交換機ＳＧＳＮ内に設けられていてもよい。また、かかる記憶媒体及びプロセッサは、ディスクリートコンポーネントとして移動局ＵＥや無線基地局ｅＮＢ/ＮｏｄｅＢや無線回線制御局ＲＮＣや移動管理ノードＭＭＥやパケット交換機ＳＧＳＮ内に設けられていてもよい。
【００５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５２】
ＵＥ…移動局
１１…受信部
１２…セル選択部
ｅＮＢ、ＮｏｄｅＢ…無線基地局
ＲＮＣ…無線回線制御局
ＭＭＥ…移動管理ノード
ＳＧＳＮ…パケット交換機
【図１】
2011238977.tif 000003
【図２】
2011238977.tif 000004
【図３】
2011238977.tif 000005
【図４】
2011238977.tif 000006
【図５】
2011238977.tif 000007
【図６】
2011238977.tif 000008
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
第１無線アクセスネットワーク及び第２無線アクセスネットワークを具備する移動通信システムであって、
前記第１無線アクセスネットワーク内の無線アクセスネットワーク装置は、前記第２無線アクセスネットワーク内の無線アクセスネットワーク装置に対して、下りリンクキャリアの周波数及び該下りリンクキャリアの周波数においてアクセスが禁止されているセルであるブラックリストセルの物理セルＩＤを送信するように構成されていることを特徴とする移動通信システム。
【請求項２】
前記第２無線アクセスネットワーク内の無線アクセスネットワーク装置は、移動局に対して、前記第１無線アクセスネットワーク内のセルに遷移するように指示する指示信号において、前記下りリンクキャリアの周波数及び該下りリンクキャリアにおける前記ブラックリストセルの物理セルＩＤを通知するように構成されており、
前記移動局は、前記下りリンクキャリアの周波数において、前記物理セルＩＤによって特定されるブラックリストセルを選択しないように構成されていることを特徴とする請求項１に記載の移動通信システム。
【請求項３】
前記指示信号は、前記第２無線アクセスネットワークにおいて前記移動局によって確立されているコネクションを開放するように要求する信号であることを特徴とする請求項２に記載の移動通信システム。
【請求項４】
前記指示信号は、前記第２無線アクセスネットワークに対して前記移動局によって送信されたコネクション設定要求を拒絶する信号であることを特徴とする請求項２に記載の移動通信システム。
【請求項５】
第１無線アクセスネットワーク内の無線アクセスネットワーク装置であって、
前記第２無線アクセスネットワーク内の無線アクセスネットワーク装置に対して、下りリンクキャリアの周波数及び該下りリンクキャリアの周波数においてアクセスが禁止されているセルであるブラックリストセルの物理セルＩＤを送信するように構成されていることを特徴とする無線アクセスネットワーク装置。
【請求項６】
第１無線アクセスネットワーク及び第２無線アクセスネットワークを具備する移動通信システムで用いられる移動局であって、
前記第２無線アクセスネットワーク内の無線アクセスネットワーク装置から、前記第１無線アクセスネットワーク内のセルに遷移するように指示する指示信号を受信するように構成されている受信部と、
受信した前記指示信号に含まれている下りリンクキャリアの周波数において、該指示信号に含まれている物理セルＩＤによって特定されるブラックリストセルを選択しないように構成されているセル選択部とを具備することを特徴とする移動局。
【請求項７】
前記指示信号は、前記第２無線アクセスネットワークにおいて前記移動局によって確立されているコネクションを開放するように要求する信号であることを特徴とする請求項６に記載の移動局。
【請求項８】
前記指示信号は、前記第２無線アクセスネットワークに対して前記移動局によって送信されたコネクション設定要求を拒絶する信号であることを特徴とする請求項６に記載の移動局。